【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
不可視光を被走査面上に２次元走査する走査手段と、
前記走査面上の任意の位置を指示する指示手段と、
前記不可視光のうち前記指示手段によって偏向された光を受光する受光手段と、
前記指示手段により偏向された不可視光を前記受光手段で受光した受光タイミングに基づいて、前記指示手段により指示された前記被走査面上の領域を求める位置検出手段と、を有することを特徴とする指示位置認識装置。
【請求項２】
前記位置検出手段は、基準同期信号の発生時から、前記反射光を前記受光手段で受光する受光タイミングまでの検知時間を用いて、前記指示手段が指示した位置を求めることを特徴とする請求項１の指示位置認識装置。
【請求項３】
不可視光を被走査面上に２次元走査する走査手段と、
前記走査面上の任意の位置を指示する指示手段と、
前記不可視光のうち前記指示手段によって偏向された光を受光する受光手段と、
画像情報に基づいて光変調された可視の描画光束を前記被走査面上に投射する描画光束投射手段と、
前記不可視光のうち前記指示手段により偏向された光を前記受光手段で受光した受光タイミングに基づいて、前記描画光束投射手段により投射された投射画像内における前記指示された位置を求める位置検出手段と、を有することを特徴とする画像表示装置。
【請求項４】
画像情報に基づいて光変調された可視の描画光束を用いて被走査面上に画像を投射する描画光束投射手段と、
不可視光を、被走査面上に２次元走査する走査手段と、
前記被走査面上の任意の位置を指示する指示手段と、
前記不可視光のうち前記指示手段によって偏向された光を受光する受光手段とを備えており、
前記不可視光のうち前記指示手段により偏向された光を前記受光手段で受光した受光タイミングに基づいて、前記描画光束のうち前記指示手段により指示された位置に対応する光束を変調することにより、前記被走査面内の前記指示手段により指示された位置に所定の画像を表示することを特徴とする画像表示装置。
【請求項５】
前記位置検出手段により求めた位置が、特定の領域内にあるかどうかを判断する判定手段を有することを特徴とする請求項４に記載の走査型画像表示装置。
【請求項６】
画像情報に基づいて光変調された可視の描画光束を投射する描画光束投射手段と、
前記描画光束投射手段からの可視光と、不可視光とを、被走査面上に２次元走査する走査手段と、
前記被走査面上の任意の位置を指示する指示手段と、
前記不可視光のうち前記指示手段によって偏向された光を受光する受光手段とを備えており、
前記不可視光のうち前記指示手段により偏向された光を前記受光手段で受光した受光タイミングに基づいて、前記描画光束投射手段により投射された投射画像内における前記指示手段により指示された位置を求める位置検出手段と、を有することを特徴とする画像表示装置。
【請求項７】
前記受光タイミングと同期したタイミングで、前記画像情報を制御することを特徴とする請求項６に記載の画像表示装置。
【請求項８】
前記指示手段は、入射光を入射方向と略逆方向に偏向させるか否かを選択する機構を備えていることを特徴とする請求項３乃至７のいずれかに記載の画像表示装置。
【請求項９】
前記指示手段は、入射光を入射方向と逆方向に反射させる再帰性反射部材を有していることを特徴とする請求項３乃至８のいずれかに記載の画像表示装置。
【請求項１０】
前記描画光束を投射するタイミングを、前記走査手段の主走査方向における走査周期の半周期分ずらす手段を有することを特徴とする請求項６に記載の画像表示装置。
【手続補正２】
【補正対象書類名】明細書
【補正対象項目名】００１９
【補正方法】変更
【補正の内容】
【００１９】
本実施例では、被走査面（スクリーン面、投射画像内）４上の一領域を指示手段で指示したときの該領域を受光手段で受光する受光タイミングを利用して、位置検出手段で検出し、位置検出手段で検出した検出時間に基づいて該領域に画像（カラー画像）を生成している。
【手続補正３】
【補正対象書類名】明細書
【補正対象項目名】００２０
【補正方法】変更
【補正の内容】
【００２０】
図１において、１は描画用光源手段（光源部）であり、例えば画像情報に基づく赤色光（可視光）を放射する半導体レーザである。描画用光源手段１から発せられた描画用の光束Ｌｒを集光レンズ２ａで集光し、スポットとして後述するスクリーン４に合成手段４と走査手段３を介して結像させている。走査手段（偏向手段）３は、水平方向の走査を行う偏向器３ａと垂直方向の走査を行う偏向器３ｂとから成る２次元走査手段である。偏向器３ａは共振作用により往復運動する偏向器であり、例えばＭＥＭＳ（Ｍｉｃｒｏ Ｅｌｅｃｔｒｉｃ Ｍｅｃｈａｎｉｃａｌ Ｓｙｓｔｅｍ）デバイス（微小機械システム）を用いている。偏向器３ｂは等角速度で変動して後に元へ戻る鋸波運動する偏向器であり、モータで駆動させたスキャナミラーを用いている。ここで、偏向器３ｂは等角速度である必要は無く、ＭＥＭＳのように共振運動をしていても構わないし、また逆に、画角中心近傍で速く回転し、画角端部近傍で相対的に遅く回転するように駆動しても構わない。
【手続補正４】
【補正対象書類名】明細書
【補正対象項目名】００２２
【補正方法】変更
【補正の内容】
【００２２】
５は、位置検出用光源手段（不可視光源手段）であり、例えば不可視の赤外光（紫外光であっても良い）を放射する赤外半導体レーザである。位置検出用光源手段５から発せられた位置検出光束Ｌｆは、集光レンズ２ｆで集光され、後述する各部材を介し、スポットとしてスクリーン４面上に結像させている。集光レンズ２ｆからの光束Ｌｆは、偏光ビームスプリッタ（以下、ＰＢＳ）８を通過し、１/４波長板７を介して、例えばダイクロイックプリズムから成る合成手段６に入射し、ダイクロ面６Ｐで反射し、描画光束Ｌｒと合成される。その後は描画光束Ｌｒと同じ光路を通り、双方で走査手段３により２次元方向に偏向されてスクリーン４上を光走査する。これらの各要素１、２ａ、３（３ａ）、（３ｂ）は描画光束投射手段の一要素を構成している。
【手続補正５】
【補正対象書類名】明細書
【補正対象項目名】００２６
【補正方法】変更
【補正の内容】
【００２６】
図中において、情報入出力装置１１は、スクリーン４上に描画光束Ｌｒを２次元的に光走査することで、いくつもの走査線１２を形成し、走査画像１３を表示している。
【手続補正６】
【補正対象書類名】明細書
【補正対象項目名】００２７
【補正方法】変更
【補正の内容】
【００２７】
このとき、位置検出光束Ｌｆは描画光束Ｌｒと合成しており、双方でスクリーン４面上の同じ位置（領域）を光走査している。
【手続補正７】
【補正対象書類名】明細書
【補正対象項目名】００２８
【補正方法】変更
【補正の内容】
【００２８】
但し、位置検出光束Ｌｆは赤外レーザを用いており、波長１．４μm以上１．６μm以下にピーク波長を有する赤外光であり、人間の眼には見えない。よって描画光束Ｌｒで表示した走査画像に影響を与えることはない。
【手続補正８】
【補正対象書類名】明細書
【補正対象項目名】００３２
【補正方法】変更
【補正の内容】
【００３２】
筆記情報を取得するためには、指示手段１５が指示するスクリーン４面上の位置を正確に取得する必要がある。但し、ここで述べる「位置」とは、図示し易いように、スクリーン面上（投射画像内）の位置としているが、これは、２次元走査（１次元走査でも構わない）によって画像を表示する場合には、時間的な領域（タイミング）を表していても構わない。また、位置（時間的な領域）とは、１点を指すものではなく、ある範囲内の領域（空間的領域、時間的領域）を指しても構わない。また、ここで述べる「筆記情報」とは、指示手段がＯＮ状態である時の被走査面上における指示手段の軌跡、言い換えると、指示手段により偏向された不可視の赤外光が受光手段により受光されるタイミング（時刻）の積算情報に相当する。ここでの指示手段をＯＮ状態とする方法は、図４（Ｂ）（Ｄ）等のような指示手段の先端部をスクリーン等の被走査面に押し付けた状態であっても構わないし、指示手段のＯＮ/ＯＦＦを制御するスイッチ等（略逆方向に偏向させるか否かを選択する機構）により指示手段をＯＮ状態としても構わない。
【手続補正９】
【補正対象書類名】明細書
【補正対象項目名】００３４
【補正方法】変更
【補正の内容】
【００３４】
本実施例では、先端部周辺に入射光を元の光路又はその近傍の光路に戻す（再帰性反射、逆方向に反射させる）作用をする再帰性反射部材１４を取り付けた指示手段１５を用いている。但し、画像情報に基づく光を投射する走査型情報入出力装置１１の内部に不可視光の受光部を設ける場合には、再帰性（すなわち走査型情報入出力装置１１から出射した光が指示手段で偏向（偏向とは反射及び／又は屈折及び／又は回折されて光の進行方向が曲がること）されて、走査型情報入出力装置１１に戻るような特性）があれば良いため、走査型情報入出力装置１１から出射した光が指示手段により反射される必要は無く、指示手段により屈折及び／又は回折されて走査型情報入出力装置１１に戻るような構成であっても良い。また、もし受光部（受光手段）を走査型情報入出力装置１１とは別に設ける場合には、再帰性を持たせる必要も無く、走査型情報入出力装置１１から出射した光が指示手段により偏向され、その偏向された光を受光可能な受光部を有する構成とすればそれで良い。
【手続補正１０】
【補正対象書類名】明細書
【補正対象項目名】００３６
【補正方法】変更
【補正の内容】
【００３６】
情報入出力装置１１に戻ってきた位置検出光束Ｌｆを走査手段３、合成手段６、λ／４板７、偏光ビームスプリッタ８、集光レンズ９を介して受光素子１０で検出している。各要素５、２ｆ、８、７、６、３、９、１０は位置検出手段の一要素を構成している。
【手続補正１１】
【補正対象書類名】明細書
【補正対象項目名】０１４７
【補正方法】変更
【補正の内容】
【０１４７】
具体的には、図８（Ｂ）に示した垂直方向の偏向器３ｂの回転方向（走査方向）を反転させる機能を持たせ（反転可能であり）、表示画像１３を簡単に上下反転できるようにしている。
走査画像１３の上下は、走査線の並び順できまる。つまり、垂直方向の偏向器３ｂの回転方向によって決まる。こうするためには、垂直方向の偏向器３ｂのモータに逆向きの電流を流せればよく、回路のスイッチ一つで達成できる。